(57)【要約】【課題】共同住宅システムにおける共同住宅の各住戸の火災感知器の動作試験を、遠隔操作により一斉または個別にかつ短時間で簡単に行うことのできる火災報知設備を提供する。【解決手段】共同住戸の各住戸にそれぞれ設置された住宅情報盤１と、各住戸内にそれぞれ設置され住宅情報盤１に接続された火災感知器３と、各住戸、管理室および共同玄関における通話および火災報知器からの警報を制御する複合盤４とを備えてなり、複合盤４に、各住戸の火災感知器３の動作試験を遠隔操作により行う遠隔試験制御手段を設けたものである。【選択図】　　　　図１
2004118805.tif 000002
【特許請求の範囲】
【請求項１】
共同住戸の各住戸にそれぞれ設置された住宅情報盤と、
前記各住戸内にそれぞれ設置され前記住宅情報盤に接続された火災感知器と、
前記各住戸、管理室および共同玄関における通話および前記火災感知器からの警報を制御する複合盤とを備えてなり、
前記複合盤に、前記各住戸の火災感知器の動作試験を遠隔操作により行う遠隔試験制御手段を設けたことを特徴とする火災報知設備。
【請求項２】
遠隔試験制御手段は、遠隔試験の指示があると、全住戸の火災感知器、指定住戸の火災感知器または指定住戸の指定火災感知器に対し住宅情報盤を介して動作試験を行わせることを特徴とする請求項１記載の火災報知設備。
【請求項３】
複合盤に表示手段および操作手段を設け、遠隔試験制御手段は、操作手段による遠隔試験の指示に基づいて全住戸の火災感知器、指定住戸の火災感知器または指定住戸の指定火災感知器に対し住宅情報盤を介して動作試験を行わせ、該動作試験の結果を前記表示手段に表示させることを特徴とする請求項１または２記載の火災報知設備。
【請求項４】
遠隔試験制御手段は、操作手段の操作に基づいて動作試験の開始または終了、あるいは、全住戸、住戸単位または感知器単位のいずれかの遠隔試験の指示を設定する試験設定部と、該試験設定部の設定に基づいて試験開始信号または終了信号および動作試験の結果の信号を含む通信信号を送受信する試験通信制御部と、前記試験設定部の設定および前記試験通信制御部からの動作試験の結果に基づいて表示手段への表示を制御する表示制御部とを備えたことを特徴とする請求項３記載の火災報知設備。
【請求項５】
住宅情報盤は、複合盤との試験開始信号または終了信号および動作試験の結果の信号を含む通信信号を送受信する通信部と、火災感知器に対して動作試験を実行する試験実行部とを備え、前記通信部が前記複合盤からの遠隔試験の指示を受けると、前記試験実行部は前記遠隔試験の指示に基づいて前記火災感知器に対して動作試験を実行することを特徴とする請求項１乃至４のいずれかに記載の火災報知設備。
【請求項６】
試験実行部は、試験結果を格納する記憶部を有することを特徴とする請求項５記載の火災報知設備。
【請求項７】
共同住戸の各住戸にそれぞれ設置された住宅情報盤と、
前記各住戸内にそれぞれ設置され前記住宅情報盤に接続された火災感知器と、
前記各住戸、管理室および共同玄関における通話および前記火災感知器からの警報を制御する複合盤とを備えてなり、
前記各住戸の住宅情報盤に、該住宅情報盤に接続された前記火災感知器の動作試験を行わせる試験制御手段を設けたことを特徴とする火災報知設備。
【請求項８】
試験制御手段は、複合盤から遠隔試験の指示または住宅情報盤に設けられた入力手段による試験入力があったときに、火災感知器の動作試験を行うことを特徴とする請求項７記載の火災報知設備。
【請求項９】
試験制御手段は、複合盤からの遠隔試験の指示または住宅情報盤の入力手段による試験入力とともに、動作試験を行わせる火災感知器の指定があったときに、該指定火災感知器に対して動作試験を行うことを特徴とする請求項８記載の火災報知設備。
【発明の詳細な説明】
【０００１】
【発明の属する技術分野】
本発明は、マンション等の共同住宅の各住戸内に設置された火災感知器を、例えば管理室に設置された共同住宅用火災報知設備を制御する住棟受信機の機能および共同住宅インターホン通話設備を制御する通話制御盤の機能等を含む複合盤から各住戸に設置された住宅情報盤を介して遠隔操作にて動作試験を行う火災報知設備に関するものである。
【０００２】
【従来の技術】
近年のマンション等の共同住宅には、火災の発生を監視し、火災が発生した場合はその火災を報知する共同住宅用火災報知設備（以下、「火災報知設備」という）が設けられている。このような火災報知設備は、図１０に示すように、共同住宅の管理室等に設置され火災報知設備全体を制御する住棟受信機２１と、各住戸内に設置される住宅情報盤２２および火災感知器２３と、各住戸の玄関先に設置されインターホン通話機能を有するドアホン２４とを備えている。なお、２５は住棟受信機２１とともに管理室等に設置された通話制御盤で、共同住宅の例えば１階に設けられた共同玄関のドアの近傍に設置された共同玄関機２６と、各住戸の住宅情報盤２２（各住戸のドアホンを介する）とに接続され、共同玄関、各住戸および管理室の通話等のインターホン通話設備を制御している。そして、住棟受信機２１等を備えた火災報知設備と通話制御盤２５等を備えたインターホン通話設備とともに、共同住宅システム３０を構成している。
【０００３】
このように構成された共同住宅システム３０を有する共同住宅において、各住戸に設置された火災感知器２３が火災を感知すると、その旨の信号がドアホン２４を介して住宅情報盤２２に送られ、この信号を受信した住宅情報盤２２は、住人に対して火災感知器２３が作動した旨を報知し、住人が火災を確認して住宅情報盤２２の確定スイッチを操作すると、住宅情報盤２２から火災確定信号が住棟受信機２１に出力され、住棟受信機２１は共同住宅内、例えば火災確定信号を出力した住宅情報盤２２の近隣（同じ階）やその直上階）に設置された住宅情報盤２２に火災警報を発動するようになっている。
【０００４】
このように、各住戸の火災を感知する火災感知器２３は、通常火災の発生を監視しているが、火災発生時に正常に動作することが肝心であるため、定期的に動作試験（点検）を行うことが必要である。この動作試験は、点検作業員が火災感知器１個ずつに対してそれぞれ行うものであるが、火災感知器は住戸内に設置されているため、プライバシーの保護や住人が不在の場合でも定期点検が行えるように、戸外から火災感知器２３に対して遠隔操作で行えるようになっている。
【０００５】
例えば図１０に示したドアホン２４は、火災感知器２３および住宅情報盤２２に接続されているとともに、火災感知器２３の動作試験を制御する外部試験器２８が接続される試験接続端子（図示せず）および動作試験時と火災監視時との信号経路を切り換える切換接点（図示せず）等を備えている。
このようなドアホン２４を用いて戸外から動作試験を行う場合、まず、外部試験器２８をある住戸のドアホン２４の試験接続端子に接続すると、切換接点が動作試験側に作動され、住戸外のドアホン２４を介する火災感知器２３と住宅情報盤２２との接続が回路的に遮断されるとともに、住戸内の火災感知器２３と外部試験器２８とが回路的に接続される。ついで、点検作業員は、外部試験器２８で個々の火災感知器２３に予め付与されているアドレスを指定し、発報指令を送出して火災検出時の諸動作が正常に行われるか否かの動作確認をそれぞれ個別に行う。動作試験終了後、ドアホン２４の試験接続端子から外部試験器２８を外すと、切換接点は元の状態、つまり火災監視側に作動され、住戸内の火災感知器２３と外部試験器２８との接続が遮断されるとともに、ドアホン２４を介する火災感知器２３と住宅情報盤２２とが回路的に接続される（例えば、特許文献１参照）。
【０００６】
【特許文献１】
特開平１１−２１９４９０号公報
【０００７】
【発明が解決しようとする課題】
上記のような従来の共同住宅システム３０は、各住戸のドアホン２４に設けられた試験接続端子に外部試験器２８を接続し、戸外の外部試験器２８から住戸内に設置された火災感知器２３に信号を送信して火災感知器２３の動作試験を遠隔操作により行うようにしていた。しかしながら、このような戸外からの動作試験は、点検作業員が各住戸の玄関先（ドアホン２４）まで足を運び、１軒ずつ行わなければならなかったため、住戸数の多い共同住宅では、場合によっては長期間かかってしまい、大変な作業になってしまうという問題があった。また、戸外からの動作試験は１軒ずつしか行えなかったため、共同住宅の全住戸の火災感知器２３に対して一斉に動作試験を行うことができないという問題もあった。さらに、動作試験をやり直したり試験結果を１ヶ所で把握することができないなどの問題もあった。
【０００８】
本発明は、上記のような課題を解決するためになされたもので、共同住宅システムにおける共同住宅の各住戸の火災感知器の動作試験を、遠隔操作により一斉または個別にかつ短時間で簡単に行うことのできる火災感知器の遠隔試験システムを備えた火災報知設備を提供することを目的としたものである。
【０００９】
【課題を解決するための手段】
本発明に係る火災報知設備は、共同住戸の各住戸にそれぞれ設置された住宅情報盤と、各住戸内にそれぞれ設置され住宅情報盤に接続された火災感知器と、各住戸、管理室および共同玄関における通話および火災感知器からの警報を制御する複合盤とを備えてなり、複合盤に、各住戸の火災感知器の動作試験を遠隔操作により行う遠隔試験制御手段を設けたものである。
【００１０】
本発明に係る火災報知設備において、遠隔試験制御手段は、遠隔試験の指示があると、全住戸の火災感知器、指定住戸の火災感知器または指定住戸の指定火災感知器に対し住宅情報盤を介して動作試験を行わせるものである。
【００１１】
本発明に係る火災報知設備は、複合盤に表示手段および操作手段を設け、遠隔試験制御手段は、操作手段による遠隔試験の指示に基づいて全住戸の火災感知器、指定住戸の火災感知器または指定住戸の指定火災感知器に対し住宅情報盤を介して動作試験を行わせ、動作試験の結果を表示手段に表示させるものである。
【００１２】
本発明に係る火災報知設備において、遠隔試験制御手段は、操作手段の操作に基づいて動作試験の開始または終了、あるいは、全住戸、住戸単位または感知器単位のいずれかの遠隔試験の指示を設定する試験設定部と、試験設定部の設定に基づいて試験開始信号または終了信号および動作試験の結果の信号を含む通信信号を送受信する試験通信制御部と、試験設定部の設定および試験通信制御部からの動作試験の結果に基づいて表示手段への表示を制御する表示制御部とを備えたものである。
【００１３】
本発明に係る火災報知設備において、住宅情報盤は、複合盤との試験開始信号または終了信号および動作試験の結果の信号を含む通信信号を送受信する通信部と、火災感知器に対して動作試験を実行する試験実行部とを備え、通信部が複合盤からの遠隔試験の指示を受けると、試験実行部は遠隔試験の指示に基づいて火災感知器に対して動作試験を実行するものである。
【００１４】
本発明に係る火災報知設備において、試験実行部は、試験結果を格納する記憶部を有するものである。
【００１５】
本発明に係る火災報知設備は、共同住戸の各住戸にそれぞれ設置された住宅情報盤と、各住戸内にそれぞれ設置され住宅情報盤に接続された火災感知器と、各住戸、管理室および共同玄関における通話および火災感知器からの警報を制御する複合盤とを備えてなり、各住戸の住宅情報盤に、住宅情報盤に接続された火災感知器の動作試験を行わせる試験制御手段を設けたものである。
【００１６】
本発明に係る火災報知設備において、試験制御手段は、複合盤から遠隔試験の指示または住宅情報盤に設けられた入力手段による試験入力があったときに、火災感知器の動作試験を行うものである。
【００１７】
本発明に係る火災報知設備において、試験制御手段は、複合盤からの遠隔試験の指示または住宅情報盤の入力手段による試験入力とともに、動作試験を行わせる火災感知器の指定があったときに、指定火災感知器に対して動作試験を行うものである。
【００１８】
【発明の実施の形態】
図１は本発明が適用される共同住宅システムの構成を示す系統図、図２は本発明の実施の形態の要部のブロック図である。図において、１は共同住宅の各住戸に設けられた住宅情報盤で、共同玄関のドア（図示せず）を解錠させる機能と、自住戸の玄関先のドアホン２、共同玄関および管理室とのインターホン通話機能と、火災、ガス漏れおよび防犯等の警報機能と、自住戸内の火災感知器３の遠隔試験機能等とを備えている。そして、後述する複合盤とは通信制御線Ｌ１を、ドアホン２とは通信制御線（通話線）Ｌ２を、火災感知器３とは通信制御線（信号線）Ｌ３を介して接続されている。
【００１９】
４は例えば管理室に設置された複合盤で、共同玄関のドアを解錠させる機能、各住戸、管理室および共同玄関における通話および通信の制御機能等を備えたインターホン通話機能と、各住戸における火災、ガス漏れおよび防犯等の警報機能、各住戸の火災感知器３の遠隔試験制御機能等を備えた火災報知設備とが複合されていて、各住戸の住宅情報盤１、共同玄関に設けられた共同玄関機５および共同住宅の共有部６に通信制御線Ｌ１，Ｌ５，Ｌ６を介して接続されている。
【００２０】
また、住宅情報盤１および複合盤４等は、通常、常用電源（図示せず）から電源を得ているが、常用電源から電源供給が絶たれた際には非常電源７から電源を得るようになっている。そして、これらにより共同住宅における共同住宅システム１０が構成されている。なお、通信制御線Ｌ１およびＬ５は、解錠時の信号、警報時の信号および遠隔試験時の信号などの制御信号が送受信される制御線と、ドアホン、共同玄関および管理室における通話時の信号および警報時の信号などの音声信号が送受信される通話線を含む。
【００２１】
住宅情報盤１は、図２に示すように、複合盤４との通信信号を送受信する通信部１１と、住宅情報盤１に接続された火災感知器３（ここでは最大１６個まで接続可能）に対して、火災検出時の諸動作が正常に行われるか否かの動作試験を実行する試験実行部１２とを備えている。そして、試験実行部１２は試験結果を格納する記憶部１２ａを有している。
【００２２】
複合盤４は、図２に示すように、例えばＬＣＤからなる表示部１３と、表示部１３の画面に表示された操作キーおよび表示部１３の近傍に設けられた操作キー等からなり、各住戸の火災感知器３に対して遠隔試験を操作する操作部１４と、操作部１４の操作に基づいて火災感知器３に対して遠隔試験の開始または終了、全住戸、住戸単位または感知器単位のいずれかの遠隔試験の指示の設定、あるいは、試験結果の要求の有無などを設定する遠隔試験制御手段である試験設定部１５と、試験設定部１５の設定に基づいて試験開始信号または終了信号、試験結果要求信号および住宅情報盤１からの試験結果信号等の通信信号を送受信する遠隔試験制御手段である試験通信制御部１６と、試験設定部１５の設定に基づいて表示部１３への表示を制御するとともに、試験通信制御部１６からの試験結果に基づいて表示部１３への表示を制御する遠隔試験制御手段である表示制御部１７とを備えている。
【００２３】
なお、試験設定部１５により設定される全住戸とは、共同住宅の全住戸の火災感知器３に対して一斉に遠隔試験を行う場合で、住戸単位は、指定する住戸の火災感知器３に対して遠隔試験を行う場合だけでなく、複数棟ある共同住宅のいずれかの棟の火災感知器３あるいはある棟の１つのフロアの火災感知器３に対して遠隔試験を行う場合などを含み、感知器単位は、指定住戸の指定火災感知器３に対して遠隔試験を行う場合である。また、表示制御部１７は、遠隔試験制御手段に含まれなくてもよい。
【００２４】
そして、住宅情報盤１、火災感知器３および複合盤４により、火災感知器３の遠隔試験システムが構成される。
【００２５】
次に、このように構成された共同住宅システム１０における火災感知器３の遠隔試験システムの作用について、図３のフローチャートを用いて説明する。
通常、火災感知器３により火災発生の監視を行っている火災監視モードの共同住宅システム１０において（Ｓ１）、その複合盤４の操作部１４により表示部１３に表示されている遠隔試験モードを選択すると（Ｓ２）、共同住宅システム１０は遠隔試験モードになり、表示部１３に図４に示す画面が表示され、火災感知器３に対する遠隔試験を全住戸、住戸単位または感知器単位のいずれかにおいて実施するかを操作部１４により選択する（Ｓ３，Ｓ１０，Ｓ１８）。
【００２６】
例えば表示部１３に表示された図４に示す画面において、「全住戸」が選択されて「実行」キーが操作されると、複合盤４の試験設定部１５は、操作部１４の操作に基づいて遠隔試験を全住戸の火災感知器３に対して一斉に行う全住戸試験を実施することを設定し（Ｓ３）、その設定に基づいて試験通信制御部１６は複合盤４から全住戸の各住宅情報盤１に通信信号である試験開始信号を送信する（Ｓ４）。このとき、表示部１３は表示制御部１７により全住戸試験用画面が表示される。ついで、各住宅情報盤１の通信部１１が複合盤４からの試験開始信号を受信すると、各住宅情報盤１の試験実行部１２は信号線Ｌ３を介して接続されている火災感知器３に対して動作試験をそれぞれ行い、その結果を試験実行部１２に設けられた記憶部１２ａに格納する（Ｓ５）。そして、複合盤４の試験通信制御部１６により複合盤４から各住戸の住宅情報盤１に試験結果の送信要求信号を送信すると（Ｓ６）、各住宅情報盤１の通信部１１は試験実行部１２の記憶部１２ａに格納された試験結果を複合盤４に送信し（Ｓ７）、複合盤４は試験通信制御部１６により受信した試験結果を、図５に示すように、表示制御部１７を介して表示部１３に表示させる（Ｓ８）。
【００２７】
ここで、火災感知器３の試験動作について簡単に説明する。住宅情報盤１から自己を指定された試験を開始する信号を受信したときに、その火災感知器３は自己の火災検出機能のチェックを行う。そして、その結果が正常であれば正常信号を、正常でなければ異常信号を住宅情報盤１の返信する。なお、火災感知器３の試験動作については、住宅情報盤１からの信号によって起動する方式でなく、検出出力の経時的監視、いわゆる定常値監視によって自己の検出機能をチェックして、住宅情報盤１から試験の信号を受信するときに、その定常値監視の結果から正常信号または異常信号を返送することも可能である。
また、火災感知器３は図示しないが動作表示灯が設けられていて、火災感知器３が自己の火災検出機能をチェックした結果が正常な場合、動作表示灯を所定時間点灯することで、外観的に火災感知器３が正常であることを確認できる。これによって、特定の火災感知器３を見ながらそれを含む遠隔試験を行って、その火災感知器３の動作表示灯が点灯しなければ、その火災感知器３が異常であることがわかる。
【００２８】
複合盤４は、全住戸からの試験結果を受信すると、住宅情報盤１に試験終了信号を送信して（Ｓ９）、全住戸の各住宅情報盤１、火災感知器３および複合盤４に対する遠隔試験モードを解除し、共同住宅システム１０を火災監視モードに戻すとともに、表示制御部１７を介して表示部１３に通常の火災発生監視画面を表示させる。
【００２９】
また、例えば表示部１３に表示された図４に示す画面において、「住戸単位」が選択されて「実行」キーが操作され、図６に示す画面において「試験住戸番号」が選択されて「実行」キーが操作されると、複合盤４の試験設定部１５は、操作部１４の操作に基づいて遠隔試験を指定住戸の火災感知器３に対して行う住戸単位試験を実施することを設定し（Ｓ１０）、その設定に基づいて試験通信制御部１６は複合盤４から指定住戸の住宅情報盤１に試験開始信号を送信する（Ｓ１１）。このとき、表示部１３は表示制御部１７により住戸単位試験用画面が表示される。ここで、住戸の指定は、予め決められている住戸番号を用いることができる。なお、各住宅情報盤１に住戸番号とは無関係に個別のアドレスが付与されている場合は、そのアドレスを指定するようにしてもよい。このとき、表示部１３は表示制御部１７により住戸単位試験用画面が表示される。ついで、指定住戸の住宅情報盤１の通信部１１が複合盤４からの試験開始信号を受信すると、住宅情報盤１の試験実行部１２はその住宅情報盤１に接続されている各火災感知器３に対して動作試験を行い、その結果を試験実行部１２に設けられた記憶部１２ａに格納する（Ｓ１２）。そして、複合盤４の試験通信制御部１６により複合盤４から指定住戸の住宅情報盤１に試験結果の送信要求信号を送信すると（Ｓ１３）、指定住戸の住宅情報盤１の通信部１１は試験実行部１２の記憶部１２ａに格納された試験結果を複合盤４に送信し（Ｓ１４）、複合盤４は試験通信制御部１６により受信した指定住戸の試験結果を、図７に示すように、表示制御部１７を介して表示部１３に表示させる（Ｓ１５）。
【００３０】
複合盤４は、指定住戸からの試験結果を受信すると、試験設定部１５により操作部１４による他の住戸に対する遠隔試験を実施するかの操作に基づく住戸単位の試験続行または終了を設定し（Ｓ１６）、他の住戸の試験続行が設定された場合は上述のステップＳ１１に戻る。他の住戸の遠隔試験が続行されない場合、つまり住戸単位の遠隔試験を終了する場合は、指定住戸の住宅情報盤１に試験終了信号を送信して（Ｓ１７）、指定住戸の住宅情報盤１、火災感知器３および複合盤４に対する遠隔試験モードを解除し、共同住宅システム１０（指定住戸）を火災監視モードに戻すとともに、表示制御部１７を介して表示部１３に通常の火災発生監視画面を表示させる。
【００３１】
さらに、例えば表示部１３に表示された図４に示す画面において、「感知器単位」が選択されて「実行」キーが操作され、図８に示す画面において「試験住戸番号」および「試験感知器番号」が選択されて「実行」キーが操作されると、複合盤４の試験設定部１５は、操作部１４の操作に基づいて遠隔試験を指定住戸の指定火災感知器３に対して行う感知器単位試験を実施することを設定し（Ｓ１８）、その設定に基づいて試験通信制御部１６は複合盤４から指定住戸の住宅情報盤１に試験開始信号を送信する（Ｓ１９）。このとき、表示部１３は表示制御部１７により感知器単位試験用画面が表示される。ここで、住戸の指定は、上述したのように予め決められている住戸番号でよく、また、住宅情報盤１に接続された火災感知器３は順番に１から番号が付けられており、試験を行う火災感知器３に付けられた番号を指定する。
【００３２】
ついで、指定住戸の住宅情報盤１の通信部１１が複合盤４からの試験開始信号を受信すると、住宅情報盤１の試験実行部１２はその住宅情報盤１に接続されて指定された火災感知器３に対して動作試験を行い、その結果を試験実行部１２に設けられた記憶部１２ａに格納する（Ｓ２０）。そして、複合盤４の試験通信制御部１６により複合盤４から指定住戸の住宅情報盤１に試験結果の送信要求信号を送信すると（Ｓ２１）、指定住戸の住宅情報盤１の通信部１１は試験実行部１２の記憶部１２ａに格納された指定感知器の試験結果を複合盤４に送信し（Ｓ２２）、複合盤４は試験通信制御部１６により受信した試験結果を、図９に示すように、表示制御部１７を介して表示部１３に表示させる（Ｓ２３）。
【００３３】
複合盤４は、指定住戸の指定感知器からの試験結果を受信すると、試験設定部１５により操作部１４による同住戸または他の住戸のいずれかの火災感知器３に対する遠隔試験を実施するかの操作に基づく感知器単位の試験続行または終了を設定し（Ｓ２４）、同住戸または他の住戸のいずれかの火災感知器３の試験続行が設定された場合は上述のステップＳ１９に戻る。同住戸または他の住戸のいずれかの火災感知器３の遠隔試験が続行されない場合、つまり感知器単位の遠隔試験を終了する場合は、指定住戸の住宅情報盤１に試験終了信号を送信して（Ｓ２５）、指定住戸の住宅情報盤１、指定火災感知器３および複合盤４に対する遠隔試験モードを解除し、共同住宅システム１０（指定住戸の指定火災感知器３）を火災監視モードに戻すとともに、表示制御部１７を介して表示部１３に通常の火災発生監視画面を表示させる。
【００３４】
このように、通信制御線Ｌ１を介して接続された各住戸の住宅情報盤１と複合盤４との間で、各住宅情報盤１に通信制御線（信号線）Ｌ３を介して接続された火災感知器３の遠隔試験を行うようにしたので、従来のように各住戸の玄関先まで点検作業員が足を運ぶなどの手間がなくなり、住戸数の多い共同住宅でも短時間で簡単に火災感知器３の遠隔試験を行うことができる火災感知器３の遠隔試験システムを備えた火災報知設備を得ることができる。また、複合盤４により遠隔試験を制御することができるため、遠隔試験の指示の設定、つまり全住戸、住戸単位または感知器単位の設定を任意に行うことができ、使い勝手のよい火災感知器３の遠隔試験システムを備えた火災報知設備を得ることができる。
【００３５】
なお、上述の実施の形態では、各火災感知器３に対する試験動作を、複合盤４からの試験開始信号を住宅情報盤１に送信することで起動する場合を示したが、試験開始信号以外で起動するようにしてもよく、また、住宅情報盤１の盤面に入力手段として図示しない試験スイッチなどを設け、その試験スイッチの操作入力によって試験動作を起動するようにしてもよい。さらに、ドアホン２に外観では見えにくい箇所に試験スイッチ等を設け、戸外からこの試験スイッチによって住宅情報盤１に操作入力をするようにしてもよい。
【００３６】
【発明の効果】
以上のように本発明に係る火災報知設備は、共同住戸の各住戸にそれぞれ設置された住宅情報盤と、各住戸内にそれぞれ設置され住宅情報盤に接続された火災感知器と、各住戸、管理室および共同玄関における通話および火災感知器からの警報を制御する複合盤とを備えてなり、複合盤に、各住戸の火災感知器の動作試験を遠隔操作により行う遠隔試験制御手段を設けたので、住戸数の多い共同住宅でも短時間で簡単に火災感知器の遠隔試験を行うことができる火災報知設備を得ることができる。
【００３７】
本発明に係る火災報知設備において、遠隔試験制御手段は、遠隔試験の指示があると、全住戸の火災感知器、指定住戸の火災感知器または指定住戸の指定火災感知器に対し住宅情報盤を介して動作試験を行わせるので、従来のように各住戸の玄関先まで点検作業員が足を運ぶなどの手間がなくなり、住戸数の多い共同住宅でも短時間で簡単に火災感知器の遠隔試験を行うことができる火災報知設備を得ることができる。
【００３８】
本発明に係る火災報知設備は、複合盤に表示手段および操作手段を設け、遠隔試験制御手段は、操作手段による遠隔試験の指示に基づいて全住戸の火災感知器、指定住戸の火災感知器または指定住戸の指定火災感知器に対し住宅情報盤を介して動作試験を行わせ、動作試験の結果を表示手段に表示させるので、遠隔試験の指示の設定、つまり全住戸、住戸単位または感知器単位の設定を任意に行うことができるとともに、動作試験の結果を１ヶ所で全て把握することができ、使い勝手のよい火災報知設備を得ることができる。
【００３９】
本発明に係る火災報知設備において、遠隔試験制御手段は、操作手段の操作に基づいて動作試験の開始または終了、あるいは、全住戸、住戸単位または感知器単位のいずれかの遠隔試験の指示を設定する試験設定部と、試験設定部の設定に基づいて試験開始信号または終了信号および動作試験の結果の信号を含む通信信号を送受信する試験通信制御部と、試験設定部の設定および試験通信制御部からの動作試験の結果に基づいて表示手段への表示を制御する表示制御部とを備えたので、上記と同様な効果を得ることができる。
【００４０】
本発明に係る火災報知設備において、住宅情報盤は、複合盤との試験開始信号または終了信号および動作試験の結果の信号を含む通信信号を送受信する通信部と、火災感知器に対して動作試験を実行する試験実行部とを備え、通信部が複合盤からの遠隔試験の指示を受けると、試験実行部は遠隔試験の指示に基づいて火災感知器に対して動作試験を実行するので、火災感知器の遠隔試験を短時間で簡単に行うことができる火災報知設備を得ることができる。
【００４１】
本発明に係る火災報知設備は、共同住戸の各住戸にそれぞれ設置された住宅情報盤と、各住戸内にそれぞれ設置され住宅情報盤に接続された火災感知器と、各住戸、管理室および共同玄関における通話および火災感知器からの警報を制御する複合盤とを備えてなり、各住戸の住宅情報盤に、住宅情報盤に接続された火災感知器の動作試験を行わせる試験制御手段を設けたものである。
また、試験制御手段は、複合盤から遠隔試験の指示または住宅情報盤に設けられた入力手段による試験入力があったときに、火災感知器の動作試験を行うものである。
さらに、試験制御手段は、複合盤からの遠隔試験の指示または住宅情報盤の入力手段による試験入力とともに、動作試験を行わせる火災感知器の指定があったときに、指定火災感知器に対して動作試験を行うものである。
このように、住宅情報盤に、火災感知器の試験を行わせる試験制御手段を設けたので、従来のように外部試験器を点検作業員が持ち歩く必要がなく、住宅情報盤に対して試験入力を行えば、簡単に火災感知器の遠隔試験を行うことができる火災報知設備を得ることができる。
【図面の簡単な説明】
【図１】本発明が適用される共同住宅システムの構成を示す系統図である。
【図２】本発明の実施の形態の要部のブロック図である。
【図３】本発明の実施の形態の作用を示すフローチャートである。
【図４】本発明の実施の形態に係る表示部の遠隔試験時の画面を示す図である。
【図５】本発明の実施の形態に係る表示部の全住戸試験時の画面を示す図である。
【図６】本発明の実施の形態に係る表示部の住戸単位試験時の画面を示す図である。
【図７】本発明の実施の形態に係る表示部の住戸単位試験時の他の画面を示す図である。
【図８】本発明の実施の形態に係る表示部の感知器単位試験時の画面を示す図である。
【図９】本発明の実施の形態に係る表示部の感知器単位試験時の他の画面を示す図である。
【図１０】従来の共同住宅システムの構成を示す系統図である。
【符号の説明】
１　住宅情報盤、３　火災感知器、４　複合盤、１０　共同住宅システム、１１　通信部、１２　試験実行部、１２ａ　記憶部、１３　表示部、１４　操作部、１５　試験設定部、１６　試験通信制御部、１７　表示制御部、Ｌ１〜Ｌ６　通信制御線。
【図１】
2004118805.tif 000003
【図２】
2004118805.tif 000004
【図３】
2004118805.tif 000005
【図４】
2004118805.tif 000006
【図５】
2004118805.tif 000007
【図６】
2004118805.tif 000008
【図７】
2004118805.tif 000009
【図８】
2004118805.tif 000010
【図９】
2004118805.tif 000011
【図１０】
2004118805.tif 000012